(57)【特許請求の範囲】
【請求項１】
携帯端末を保持可能に形成されるホルダと、
前記ホルダに対して着脱可能に形成されて、当該ホルダに保持される前記携帯端末の端子に電気的に接続した接続端子を介して当該携帯端末を充電する充電手段を有するベースユニットと、
を備える携帯端末用置台であって、
前記ホルダには、弾性変形可能な係合部が複数形成され、
前記ベースユニットには、前記複数の係合部がそれぞれ弾性的に係合する被係合部が同数形成され、
前記ホルダおよび前記ベースユニットは、前記複数の係合部が前記被係合部にそれぞれ係合した状態で、締結部材により１または２箇所以上締結されて組み付けられ、
前記ベースユニットは、外郭を構成する筐体が、前記ホルダが組み付けられる一側ケースと他側ケースとを組み付けて構成され、
前記他側ケースには、前記係合部と前記被係合部との係合箇所を露出可能な露出口が貫通するように係合箇所ごとに形成され、
前記係合部は、対応する前記露出口の貫通方向に沿って伸びるように形成されることを特徴とする携帯端末用置台。
【請求項２】
前記ベースユニットは、前記接続端子を介して前記ホルダに保持される前記携帯端末と通信可能な通信手段を備えることを特徴とする請求項１に記載の携帯端末用置台。
【請求項３】
前記ベースユニット内には、前記接続端子が実装される基板が収容され、
前記基板には、前記締結部材が締結する締結部が設けられることを特徴とする請求項１または２に記載の携帯端末用置台。
【請求項４】
前記複数の被係合部は、前記ベースユニット内の四隅にて対応する前記係合部に係合するように、それぞれ配置されることを特徴とする請求項１〜３のいずれか一項に記載の携帯端末用置台。
【請求項５】
前記ベースユニットには、前記充電手段による通電及び充電池の充電状態を表示する表示部が設けられ、
前記ホルダには、前記ベースユニットとの組み付け時に、前記表示部の周囲を覆い当該表示部を開口を介して露出させるカバー部が設けられることを特徴とする請求項１〜４のいずれか一項に記載の携帯端末用置台。
【発明の詳細な説明】
【技術分野】
【０００１】
本発明は、携帯端末を載置する携帯端末用置台に関するものである。
【背景技術】
【０００２】
従来、携帯端末を載置する置台が各種提供されている。例えば、下記特許文献１に開示される充電用卓上ホルダユニット構造では、互いに独立した部材であって着脱可能な卓上ユニットと、充電対象の携帯端末に対応するホルダカバーとが用意される。卓上ユニットの上面には携帯端末の充電端子と当接して充電電流を供給する給電端子が設けられており、また、ホルダカバーの保持部には、給電端子を露出させるための開口部が設けられている。そして、ホルダカバーの嵌合爪を卓上ユニットの嵌合用凹部に嵌合させるようにホルダカバーを卓上ユニットに覆い被せることで、給電端子が開口部から露出するように両部材が組み付けられる。
【０００３】
このように組み付けられたホルダカバーの保持部に対して携帯端末が保持されると、充電端子と給電端子とが当接して、当該携帯端末に対して充電が開始される。そして、異なる形状の携帯端末を充電する場合には、卓上ユニットからホルダカバーを外し、その携帯端末用に形成されたホルダカバーを卓上ユニットに覆い被せることで、異なる形状の携帯端末であっても充電が可能となる。
【先行技術文献】
【特許文献】
【０００４】
【特許文献１】特開２００９−２１２７２６号公報
【発明の概要】
【発明が解決しようとする課題】
【０００５】
ところで、上記特許文献１に開示されるような携帯端末用置台では、携帯端末の形状に応じてそれぞれ形成されるホルダと、各携帯端末にて共用されるベースユニットとの組付けが、嵌合爪と嵌合用凹部との嵌合を用いてなされている。このため、落下などの衝撃が携帯端末用置台に作用すると、上記嵌合箇所が破損等してしまう場合があり、堅牢性が不十分であるという問題がある。
【０００６】
本発明は、上述した課題を解決するためになされたものであり、その目的とするところは、携帯端末の形状に応じて形成されるホルダと各携帯端末にて共用されるベースユニットとを着脱可能であって組み付け時の堅牢性を向上し得る携帯端末用置台を提供することにある。
【課題を解決するための手段】
【０００７】
上記目的を達成するため、請求項１に記載の携帯端末用置台は、携帯端末（１０）を保持可能に形成されるホルダ（３０）と、前記ホルダに対して着脱可能に形成されて、当該ホルダに保持される前記携帯端末の端子に電気的に接続した接続端子（５１）を介して当該携帯端末を充電する充電手段（５０）を有するベースユニット（４０）と、を備える携帯端末用置台（２０）であって、前記ホルダには、弾性変形可能な係合部（３５ａ〜３５ｄ）が複数形成され、前記ベースユニットには、前記複数の係合部がそれぞれ弾性的に係合する被係合部（４４ａ〜４４ｄ）が同数形成され、前記ホルダおよび前記ベースユニットは、前記複数の係合部が前記被係合部にそれぞれ係合した状態で、締結部材（４６）により１または２箇所以上締結されて組み付けられ、前記ベースユニットは、外郭を構成する筐体が、前記ホルダが組み付けられる一側ケースと他側ケースとを組み付けて構成され、前記他側ケースには、前記係合部と前記被係合部との係合箇所を露出可能な露出口が貫通するように係合箇所ごとに形成され、前記係合部は、対応する前記露出口の貫通方向に沿って伸びるように形成されることを特徴とする。
【０００８】
請求項２に記載の発明は、請求項１に記載の携帯端末用置台において、前記ベースユニットは、前記接続端子を介して前記ホルダに保持される前記携帯端末と通信可能な通信手段（５０）を備えることを特徴とする。
【０００９】
請求項３に記載の発明は、請求項１または２に記載の携帯端末用置台において、前記ベースユニット内には、前記接続端子が実装される基板（５０）が収容され、前記基板には、前記締結部材が締結する締結部（５５）が設けられることを特徴とする。
【００１１】
請求項４に記載の発明は、請求項１〜３のいずれか一項に記載の携帯端末用置台において、前記複数の被係合部は、前記ベースユニット内の四隅にて対応する前記係合部に係合するように、それぞれ配置されることを特徴とする。
【００１２】
請求項５に記載の発明は、請求項１〜４のいずれか一項に記載の携帯端末用置台において、前記ベースユニットには、前記充電手段による通電及び充電池の充電状態を表示する表示部（５２）が設けられ、前記ホルダには、前記ベースユニットとの組み付け時に、前記表示部の周囲を覆い当該表示部を開口（３８）を介して露出させるカバー部（３７）が設けられることを特徴とする。
なお、上記各括弧内の符号は、後述する実施形態に記載の具体的手段との対応関係を示すものである。
【発明の効果】
【００１３】
請求項１の発明では、携帯端末を保持可能に形成されるホルダには、弾性変形可能な係合部が複数形成され、充電手段を有するベースユニットには、複数の係合部がそれぞれ弾性的に係合する被係合部が同数形成されている。そして、ホルダおよびベースユニットは、複数の係合部が被係合部にそれぞれ係合した状態で、締結部材により１または２箇所以上締結されて組み付けられる。
【００１４】
このように、ホルダおよびベースユニットは、係合部と被係合部とにより複数箇所係合されるので、携帯端末の形状に応じて形成されるホルダと各携帯端末にて共用されるベースユニットとを着脱可能であって、さらに、締結部材により１または２箇所以上締結されて組み付けられることで、組み付け時の堅牢性を向上させることができる。
特に、ベースユニットの外郭を構成する筐体が、一側ケースおよび他側ケースを組み付けて構成され、他側ケースには、係合部と被係合部との係合箇所を露出可能な露出口が貫通するように係合箇所ごとに形成される。そして、係合部は、対応する露出口の貫通方向に沿って伸びるように形成される。これにより、ホルダを取り替える場合には、他側ケースの露出口を利用して各係合部と被係合部との係合を解除すればよく、一側ケースと他側ケースとを分離する必要もないので、共用されるベースユニットに対してホルダを取り替える取替作業を容易に実施することができる。
【００１５】
請求項２の発明では、ベースユニットは、接続端子を介してホルダに保持される携帯端末と通信可能な通信手段を備えるため、充電機能だけでなく通信機能をも兼ね備えるベースユニットであっても、ホルダと着脱可能であって組み付け時の堅牢性を向上させることができる。
【００１６】
請求項３の発明では、ベースユニット内には、接続端子が実装される基板が収容されており、この基板には、締結部材が締結する締結部が設けられるため、当該締結部材による締結により、ホルダと接続端子との位置ずれが抑制される。これにより、ホルダに保持される携帯端末の端子とベースユニットの接続端子とを確実に電気的に接続することができる。
【００１８】
請求項４の発明では、複数の被係合部は、ベースユニット内の四隅にて対応する係合部に係合するように、それぞれ配置されるため、衝撃などの外力が作用する場合でも、この外力が四方に分散されて各係合箇所に伝達されることとなる。これにより、上記外力が作用することによる係合部および被係合部の破損等を抑制することができる。
【００１９】
請求項５の発明では、ホルダには、ベースユニットとの組み付け時に、通電及び充電池の充電状態を表示する表示部の周囲を覆い当該表示部を開口を介して露出させるカバー部が設けられている。これにより、通電及び充電池の充電状態を表示部を用いて表示しつつ、その表示部をカバー部により保護することができる。
【図面の簡単な説明】
【００２０】
【図１】本実施形態に係る携帯端末用置台に携帯端末を保持した状態を示す説明図であり、図１（Ａ）は、正面図を示し、図１（Ｂ）は、側面図を示す。
【図２】携帯端末用置台の詳細構成を説明する説明図であり、図２（Ａ）は、上面図を示し、図２（Ｂ）は側面図を示す。
【図３】図２に示す携帯端末用置台の背面図である。
【図４】図２に示す携帯端末用置台の下面図である。
【図５】ホルダの詳細構成を説明する説明図であり、図５（Ａ）は、上面図を示し、図５（Ｂ）は側面図を示す。
【図６】図５に示すホルダの背面図である。
【図７】図５に示すホルダの下面図である。
【図８】上ケースの詳細構成を説明する説明図であり、図８（Ａ）は、上面図を示し、図８（Ｂ）は側面図を示す。
【図９】図８に示す上ケースの正面図である。
【図１０】図８に示す上ケースの背面図である。
【図１１】図８に示す上ケースの下面図である。
【図１２】図２（Ａ）のＡ−Ａ線相当の切断面による断面図である。
【発明を実施するための形態】
【００２１】
以下、本発明に係る携帯端末用置台を具現化した一実施形態について図を参照して説明する。図１は、本実施形態に係る携帯端末用置台２０に携帯端末１０を保持した状態を示す説明図であり、図１（Ａ）は、正面図を示し、図１（Ｂ）は、側面図を示す。
図１に示す携帯端末用置台２０は、ホルダ３０の収容部３１の収容された携帯端末１０のコネクタが底部３３に設けられるコネクタ５１に電気的に接続されることで、携帯端末１０を、充電可能な状態であって当該携帯端末用置台２０を介して外部装置と通信可能な状態で保持するための置台である。
【００２２】
携帯端末用置台２０の充電・通信対象となる携帯端末１０は、例えば、バーコードや二次元コード等の情報コードを光学的に読み取るコードリーダとして機能するもので、筐体１１内にコードリーダを構成するための回路基板や光源、レンズ、受光センサ、記憶装置等の各種電気部品と、これら各種電気部品の電源として機能する充電可能な充電池１３とが収容されるように構成されている。この筐体１１内の電気的構成は、公知のコードリーダ（バーコードリーダ、二次元コードリーダ等）と同様の構成とすることができる。また、携帯端末１０の下端部には、外部接続用のコネクタが設けられており、このコネクタは、特許請求の範囲に記載の「携帯端末の端子」の一例に相当する。
【００２３】
次に、本発明に係る携帯端末用置台２０の詳細構成について、図２〜図１１を用いて説明する。図２は、携帯端末用置台２０の詳細構成を説明する説明図であり、図２（Ａ）は、上面図を示し、図２（Ｂ）は側面図を示す。図３は、図２に示す携帯端末用置台２０の背面図である。図４は、図２に示す携帯端末用置台２０の下面図である。図５は、ホルダ３０の詳細構成を説明する説明図であり、図５（Ａ）は、上面図を示し、図５（Ｂ）は側面図を示す。図６は、図５に示すホルダ３０の背面図である。図７は、図５に示すホルダ３０の下面図である。図８は、上ケース４１ａの詳細構成を説明する説明図であり、図８（Ａ）は、上面図を示し、図８（Ｂ）は側面図を示す。図９は、図８に示す上ケース４１ａの正面図である。図１０は、図８に示す上ケース４１ａの背面図である。図１１は、図８に示す上ケース４１ａの下面図である。
【００２４】
図２〜図４に示すように、携帯端末用置台２０は、携帯端末１０の下端部を保持する樹脂製のホルダ３０と、このホルダ３０に対して着脱可能に形成されるベースユニット４０とを備えている。ホルダ３０は、充電・通信対象となる携帯端末１０の形状に応じて各種用意されるものであり、ベースユニット４０は、各種のホルダ３０にて共用されるものである。すなわち、携帯端末用置台２０は、共通のベースユニット４０に対して、充電・通信対象となる携帯端末１０の形状に応じたホルダ３０を組み付けることで構成される標準化が図られた置台である。
【００２５】
図５〜図７に示すように、ホルダ３０の上面には、携帯端末１０の下端部を収容して保持する収容部３１が設けられており、この収容部３１は、携帯端末１０の下端部の両側面を挟持する２つの案内部３２と、携帯端末１０を下方から支持する底部３３とから構成されている。両案内部３２は、挟持すべき携帯端末１０の下端部の両側面を下方に案内して、この下端部が底部３３に接触するときに当該下端部を挟持するようにそれぞれ形成されている。
【００２６】
底部３３には、ベースユニット４０との組み付け時に、後述するコネクタ５１を露出させるための矩形状の開口３３ａが形成されるとともに、この開口３３ａの近傍に２つの締結用の締結穴３３ｂが形成されている。
【００２７】
図６および図７に示すように、ホルダ３０の内面３４には、ベースユニット４０との組み付け時に、後述する係合端面４４ａ〜４４ｄにそれぞれ係合する弾性変形可能な係合部として４つのスナップフィット３５ａ〜３５ｄが設けられている。これら各スナップフィット３５ａ〜３５ｄは、内面３４の四隅近傍から下方に伸びて、その先端部３６がそれぞれ爪状に形成されている。特に、各スナップフィット３５ａ〜３５ｄは、後述する下ケース４１ｂの露出口４９ａ〜４９ｄの近傍にて係合端面４４ａ〜４４ｄに係合するため、上下方向に伸びるように形成されている。また、ホルダ３０の前側（図５の左側）の側壁３７には、後述する表示部５２を露出させる開口３８が形成されている。
【００２８】
図２〜図４に示すように、ベースユニット４０は、その外郭を構成する樹脂製の筐体４１が、ホルダ３０が組み付けられる上ケース４１ａと、下ケース４１ｂとを組み付けて形成される。図８〜図１１に示すように、上ケース４１ａは、下方が略矩形状に開口する箱状に形成されており、その上壁４２には、各スナップフィット３５ａ〜３５ｄがそれぞれ挿通する４つの貫通穴４３ａ〜４３ｄが設けられている。
【００２９】
図１１に示すように、これら各貫通穴４３ａ〜４３ｄのうち前側（図８の左側）に配置される貫通穴４３ａ，４３ｂには、スナップフィット３５ａ，３５ｂが挿通し、その先端部３６が貫通穴４３ａ，４３ｂの下方周縁を構成する係合端面４４ａ，４４ｂにそれぞれ弾性的に係合する。また、各貫通穴４３ａ〜４３ｄのうち後側に配置される貫通穴４３ｃ，４３ｄは、スナップフィット３５ｃ，３５ｄが挿通し、その先端部３６が貫通穴４３ｃ，４３ｄの下方周縁を構成する円環状の係合端面４４ｃ，４４ｄにそれぞれ弾性的に係合する。なお、各スナップフィット３５ａ〜３５ｄおよび各係合端面４４ａ〜４４ｄは、特許請求の範囲に記載の「係合部」および「被係合部」の一例に相当し得る。
【００３０】
また、上ケース４１ａは、各貫通穴４３ａ〜４３ｄを挿通したスナップフィット３５ａ〜３５ｄの先端部３６が係合端面４４ａ〜４４ｄに対してそれぞれ係合するとき、その前側の側壁４５の外面にてホルダ３０の側壁３７の内面に面接触するように形成されている。なお、ベースユニット４０は、各種のホルダ３０にて共用されることから、上述した各スナップフィット３５ａ〜３５ｄや側壁３７の内面は、各種のホルダ３０において共通の形状に形成されている。
【００３１】
上ケース４１ａの上壁４２の下面側には、充電手段および通信手段を有する基板として、充電機能および通信機能を実現するために各種電子部品が実装された回路基板５０が取り付けられている（図２（Ｂ）参照）。この回路基板５０には、携帯端末１０のコネクタに接続するコネクタ５１が実装されており、このコネクタ５１は、回路基板５０が上壁４２に取り付けられる時に、当該上壁４２に形成される矩形状の開口４２ａを介して上方に露出するように配置されている。
【００３２】
上記回路基板５０には、携帯端末１０の通電及び充電池の充電状態を表示する表示部５２が実装されている。この表示部５２は、通電状態は緑色、充電池の充電状態は緑色及び赤色に発光するＬＥＤ等から構成されており、通電状態は緑色、充電池の充電中は赤色に点灯し、充電が終了すると緑色に発光するように制御される。これにより、この表示部５２の表示状態を見ることで、充電池１３単体の充電状態を容易に確認することができる。また、回路基板５０には、電源供給用の電源ポート５３と、外部通信用の通信ポート５４と、が実装されている。
【００３３】
また、上ケース４１ａの上壁４２には、組み付けられたホルダ３０の両締結穴３３ｂに連通する貫通穴４２ｂが２つ形成されている。そして、回路基板５０には、ホルダ３０とコネクタ５１との位置ずれを抑制するため、締結穴３３ｂおよび貫通穴４２ｂを挿通するねじ部材４６が締結するためのねじ穴５５が２つ設けられている。なお、ねじ部材４６およびねじ穴５５は、特許請求の範囲に記載の「締結部材」および「締結部」の一例に相当し得る。また、図２（Ａ）では、説明の便宜上、ねじ部材４６を破線にて図示している。
【００３４】
上ケース４１ａの側壁４５には、上壁４２に組み付けられた回路基板５０の表示部５２が露出する開口４５ａが形成されている。また、上ケース４１ａの後壁４７には、上壁４２に組み付けられた回路基板５０の電源ポート５３および通信ポート５４が露出する電源用開口４７ａおよび通信用開口４７ｂが形成されている。
【００３５】
上ケース４１ａの上壁４２の後側には、携帯端末１０から取り外された充電池１３単体を充電するための充電池収容部４８が設けられている。この充電池収容部４８内には、収容された充電池１３の端子に接触する充電端子５６の一部が開口４８ａを介して露出しており、この充電端子５６は、充電池１３を充電可能に回路基板５０に実装されている。これにより、ベースユニット４０は、ホルダ３０を取り付けることなく、単独で充電池１３を充電可能な装置としても構成される。
【００３６】
図４に示すように、下ケース４１ｂは、略平板状に形成されており、上ケース４１ａに対してその下方の開口を閉塞するように組み付けられる。この下ケース４１ｂには、各スナップフィット３５ａ〜３５ｄの先端部３６と係合端面４４ａ〜４４ｄとの係合時に、各係合箇所を露出可能な矩形状の露出口４９ａ〜４９ｄが係合箇所ごとに形成されている。なお、上ケース４１ａおよび下ケース４１ｂは、特許請求の範囲に記載の「一側ケース」および「他側ケース」の一例に相当し得る。
【００３７】
次に、ベースユニット４０の組み付けについて、図１２を用いて説明する。図１２は、図２（Ａ）のＡ−Ａ線相当の切断面による断面図である。
上述のように構成される回路基板５０を、コネクタ５１、電源ポート５３、通信ポート５４、ねじ穴５５および充電端子５６が、開口４２ａ、電源用開口４７ａ、通信用開口４７ｂ、貫通穴４２ｂおよび開口４７ａを介して露出するように、上ケース４１ａに組み付けた後、この上ケース４１ａに対してその下方の開口を閉塞するように下ケース４１ｂを組み付けて締結等することで、ベースユニット４０の組み付けが完成する。
【００３８】
このように構成されるベースユニット４０に対して、各スナップフィット３５ａ〜３５ｄを対応する貫通穴４３ａ〜４３ｄに挿入させるとともに、開口３３ａにコネクタ５１を挿入させ、かつ、両締結穴３３ｂからねじ穴５５が露出するように、ホルダ３０を組み付ける。そして、図１２に示すように、スナップフィット３５ａ〜３５ｄの先端部３６を対応する係合端面４４ａ〜４４ｄにそれぞれ係合させた状態で、連通する締結穴３３ｂおよび貫通穴４２ｂを介してねじ穴５５にねじ部材４６を締結することで、図２に示す携帯端末用置台２０の組み付けが完成する。
【００３９】
このとき、側壁３７は、表示部５２の周囲を覆い当該表示部５２を開口３８を介して露出させるカバー部として機能する。これにより、ベースユニット４０ａによる充電状態を表示部５２を用いて表示しつつ、その表示部５２をカバー部として機能する側壁３７により保護することができる。
【００４０】
以上説明したように、本実施形態に係る携帯端末用置台２０では、携帯端末１０を保持可能に形成されるホルダ３０には、弾性変形可能なスナップフィット３５ａ〜３５ｄが４つ形成され、充電手段として回路基板５０を有するベースユニット４０には、各スナップフィット３５ａ〜３５ｄの先端部３６がそれぞれ弾性的に係合する係合端面４４ａ〜４４ｄが同数形成されている。そして、ホルダ３０およびベースユニット４０は、各スナップフィット３５ａ〜３５ｄの先端部３６が係合端面４４ａ〜４４ｄにそれぞれ係合した状態で、２つのねじ部材４６により２箇所締結されて組み付けられる。
【００４１】
このように、ホルダ３０およびベースユニット４０は、各スナップフィット３５ａ〜３５ｄの先端部３６と係合端面４４ａ〜４４ｄとの複数箇所の係合に加えて、両ねじ部材４６により２箇所締結されて組み付けられるので、携帯端末１０の形状に応じて形成されるホルダ３０と各携帯端末１０にて共用されるベースユニット４０とを着脱可能であって組み付け時の堅牢性を向上させることができる。
【００４２】
このように携帯端末用置台２０の堅牢性が高められるので、当該携帯端末用置台２０の落下に起因する衝撃などの外力が作用する場合でも、上ケース４１ａと下ケース４１ｂとの分離や上記係合箇所の破損を防止することができる。
なお、各スナップフィット（３５ａ〜３５ｄ）の先端部３６と係合端面（４４ａ〜４４ｄ）との係合箇所は４つに限らず、組み付け状態に応じて、２つまたは３つでもよいし、５つ以上であってもよい。また、ねじ部材４６によるホルダ３０とベースユニット４０との締結箇所は、２箇所に限らず、組み付け状態に応じて、１箇所でもよいし、３箇所以上でもよい。
【００４３】
また、ベースユニット４０は、コネクタ５１を介してホルダ３０に保持される携帯端末１０と通信可能な通信手段として回路基板５０を備えるため、充電機能だけでなく通信機能をも兼ね備えるベースユニット４０であっても、ホルダ３０と着脱可能であって組み付け時の堅牢性を向上させることができる。
【００４４】
さらに、ベースユニット４０内には、コネクタ５１が実装される回路基板５０が収容されており、この回路基板５０には、両ねじ部材４６が締結するねじ穴５５が２つ設けられるため、当該両ねじ部材４６による締結により、ホルダ３０とコネクタ５１との位置ずれが抑制される。これにより、ホルダ３０に保持される携帯端末１０のコネクタとベースユニット４０のコネクタ５１とを確実に電気的に接続することができる。
【００４５】
さらにまた、ベースユニット４０の外郭を構成する筐体４１が、上ケース４１ａおよび下ケース４１ｂを組み付けて構成され、下ケース４１ｂには、各スナップフィット３５ａ〜３５ｄの先端部３６と係合端面４４ａ〜４４ｄとの係合箇所を露出可能な露出口４９ａ〜４９ｄが係合箇所ごとに形成される。これにより、ホルダ３０を他のホルダと取り替える場合には、下ケース４１ｂの露出口４９ａ〜４９ｄを利用して各スナップフィット３５ａ〜３５ｄの先端部３６と係合端面４４ａ〜４４ｄとの係合を解除すればよく、上ケース４１ａと下ケース４１ｂとを分離する必要もないので、共用されるベースユニット４０に対してホルダ３０を取り替える取替作業を容易に実施することができる。
【００４６】
特に、各スナップフィット３５ａ〜３５ｄは、下ケース４１ｂの露出口４９ａ〜４９ｄの近傍にて係合端面４４ａ〜４４ｄに係合するため、露出口４９ａ〜４９ｄから離れた位置にて係合する場合と比較して、露出口４９ａ〜４９ｄを介した先端部３６と係合端面４４ａ〜４４ｄとの係合の解除作業を容易に実施することができる。
【００４７】
また、各係合端面４４ａ〜４４ｄは、上ケース４１ａ内の四隅にて対応する各スナップフィット３５ａ〜３５ｄの先端部３６に係合するように、それぞれ配置されるため、衝撃などの外力が作用する場合でも、この外力が四方に分散されて各係合箇所に伝達されることとなる。これにより、上記外力が作用することによる各スナップフィット３５ａ〜３５ｄや係合端面４４ａ〜４４ｄの破損等を抑制することができる。
【００４８】
さらにまた、ベースユニット４０には、回路基板５０による携帯端末１０の充電状態または充電池１３単体の充電状態を表示する表示部５２が側壁４５に設けられているため、この表示部５２の表示状態を見ることで、携帯端末１０の充電状態または充電池１３単体の充電状態を容易に確認することができる。
【００４９】
そして、ホルダ３０の側壁３７は、ベースユニット４０との組み付け時に、表示部５２の周囲を覆い当該表示部５２を開口３８を介して露出させるカバー部として機能する。これにより、ベースユニット４０による充電状態を表示部５２を用いて表示しつつ、その表示部５２をカバー部として機能する側壁３７により保護することができる。
【００５０】
なお、本発明は上記実施形態および変形例に限定されるものではなく、以下のように具体化してもよい。
（１）本発明に係る携帯端末用置台２０は、情報コードを光学的に読み取るコードリーダとして機能する携帯端末を充電・通信対象とすることに限らず、例えば、携帯電話やＰＤＡ（Personal Digital Assistant）などの携帯端末を充電・通信対象としてもよい。
【００５１】
（２）本発明に係る携帯端末用置台２０は、保持する携帯端末１０に対して充電機能および通信機能の双方を有することに限らず、充電機能および通信機能のいずれか一方のみを有してもよいし、両機能の少なくとも一方に加えて他の機能を有してもよい。
【００５２】
（３）ホルダ３０は、ベースユニット４０の係合端面４４ａ〜４４ｄに対して、各スナップフィット３５ａ〜３５ｄの先端部３６にて係合するように形成されることに限らず、例えば、爪状突起などの弾性的に変形する係合部にて係合するように形成されてもよい。
【００５３】
（４）ベースユニット４０は、ホルダ３０の各スナップフィット３５ａ〜３５ｄの先端部３６が、各係合端面４４ａ〜４４ｄに係合するように形成されることに限らず、例えば、凹部などの被係合部に係合するように形成されてもよい。
【符号の説明】
【００５４】
１０…携帯端末
１３…充電池
２０…携帯端末用置台
３０…ホルダ
３１…収容部
３５ａ〜３５ｄ…スナップフィット（係合部）
３６…先端部
３７…側壁（カバー部）
３８…開口
４０…ベースユニット
４１…筐体
４１ａ…上ケース（一側ケース）
４１ｂ…下ケース（他側ケース）
４３ａ〜４３ｄ…貫通穴
４４ａ〜４４ｄ…係合端面（被係合部）
４６…ねじ部材（締結部材）
４９ａ〜４９ｄ…露出口
５０…回路基板（基板，充電手段，通信手段）
５１…コネクタ（接続端子）
５２…表示部
５５…ねじ穴（締結部）
【図１】
0005838675.tif 000002
【図２】
0005838675.tif 000003
【図３】
0005838675.tif 000004
【図４】
0005838675.tif 000005
【図５】
0005838675.tif 000006
【図６】
0005838675.tif 000007
【図７】
0005838675.tif 000008
【図８】
0005838675.tif 000009
【図９】
0005838675.tif 000010
【図１０】
0005838675.tif 000011
【図１１】
0005838675.tif 000012
【図１２】
0005838675.tif 000013